【事件の表示】
　平成　５年特許願第１５０８６６号「映像カラオケ装置」拒絶査定に対する審判事件［平成　７年　１月１７日出願公開、特開平　７−　１３５７６］について、次のとおり審決する。
【結　論】
　本件審判の請求は、成り立たない。
【理　由】
１．手続の経緯（本願発明・査定）
（１）本願は、平成５年６月２２日の出願である。
（２）本願発明
　その特許請求の範囲の請求項１及び請求項２に係る各発明は、平成１４年３月２７日付け手続補正書により補正された明細書および図面の記載からみて、各請求項にそれぞれ記載されたとおりの「映像カラオケ装置」であると認められるところ、そのうち、請求項１に係る発明（以下、本願発明ともいう）は請求項１に記載された下記１のとおりのものである。
　　　　　記１（請求項１に係る発明）
　複数のカラオケ曲の中から所望の曲を選択する選択手段と、
　選択されたカラオケ曲の楽音情報を再生して出力する楽音情報出力手段と、
　映像情報を記憶した映像情報記憶手段と、
　該映像情報記憶手段から映像情報を読み出す映像情報読出手段と、
　該映像情報読出手段により読み出した映像情報に歌詞情報を合成し、上記楽音情報出力手段からの出力タイミングに対応して表示する映像表示手段と、
　を備えた映像カラオケ装置であって、
　上記映像情報記憶手段及び映像情報読出手段を複数組備え、それら各映像情報記憶手段の映像情報は、同一ジャンルの映像内容として編集された２以上の編集映像からなる編集映像群として構成されると共に、
　前記選択手段により選択された一つのカラオケ曲を前記楽音情報出力手段が再生中、上記複数の映像情報読出手段を制御して、上記複数の映像情報記憶手段にそれぞれ記憶されている編集映像群から編集映像をランダムに選択して順次読み出す編集映像読出制御手段を備えたことを特徴とする映像カラオケ装置。
（３）査定
　原査定の理由は、概略、下記２のとおりである。
　　　　　記２（査定の理由）
　請求項１及び請求項２に係る各発明は、下記刊行物に記載された各発明に基づいて当業者が容易に発明をすることができたものであるから、特許法第２９条第２項の規定により特許を受けることができない。
　　　　　記
　刊行物１：特開平４−１９１８８２号公報
　刊行物２：特開平５−０３５２８８号公報
　
２．刊行物の記載
（１）原査定に引用された刊行物１（特開平４−１９１８８２号公報（平成４年７月１０日出願公開））には、「画像再生装置、画像情報記憶媒体及びカラオケ演奏装置」（発明の名称）に関して、以下の記載が認められる。
　（ア）カラオケ演奏装置の基本構成に関して
　「第３図において請求項３記載の発明は、ＭＩＤＩ規格によりカラオケ伴奏音楽情報を発生するＭＩＤＩ音源手段を制御するためのＭＩＤＩ音源制御情報を記憶し、かつ、制御手段に画像表示の出力タイミングの制御をさせるための画像制御情報を記憶する画像制御情報記憶領域１２４を含むＭＩＤＩ音源制御情報記憶領域１２１を有して成るカラオケ情報記憶媒体１０７からＭＩＤＩ音源制御情報を再生するカラオケ情報再生手段１１１と、このカラオケ情報再生手段が再生したＭＩＤＩ音源制御情報によりカラオケ伴奏音楽情報を発生するＭＩＤＩ音源手段１１２と、歌唱者が歌唱した音声を電気信号に変換し音声情報として出力する音響電気変換手段１１３と、カラオケ伴奏音楽情報と前記音声情報とを混合し、混合音楽情報として出力する混合手段１１４と、この混合音楽情報を音響に変換して出力する音響出力手段１１５と、請求項２記載の画像情報記憶媒体１０８から画像情報を再生する画像情報再生手段１１８と、再生された前記画像情報を画像表示する画像表示手段１１６と、音響出力手段１１５の出力する音響と、前記画像表示手段の表示する画像との出力タイミングを制御する制御手段１１７と、を備えたカラオケ演奏装置１１０であって、」（４頁左上欄８行〜右上欄12行、第３図）
　（イ）画像情報記憶媒体のデータ構造に関して
　「請求項２記載の発明は、・・・画像情報記憶媒体１０８であって、カラオケ伴奏音楽情報と適合して表示可能な複数の画像情報片と、画像情報片の個々を検索するための検索用アドレス情報片を記憶する画像情報片記憶領域を有して構成される。」（３頁右下欄４行〜４頁左上欄７行、第２図）
　「このレーザビデオディスクＬＤは、・・・大分類画像領域・・・を有している。この大分類画像領域には例えば、花に関する映像、山に関する画像、川に関する映像等が収録されている。この大分類画像領域は中分類画像領域・・・を含んでおり、例えば、花の中分類画像領域には春の花の映像、夏の花の映像、秋の花の映像、冬の花の映像などが収録されている。さらに、中分類画像領域には小分類画像領域・・・が含まれている。小分類画像領域は画像情報片記憶領域に相当する。例えば「春の花」の小分類画像領域には、桜、たんぽぽ、菜の花などの数秒、数１０秒単位の動画映像が収録されている。これら個々の映像が画像情報片に相当する。・・・これら大分類画像領域、中分類画像領域、小分類画像領域には・・・チャプターナンバーやフレームナンバーが記憶されている。これは検索用アドレス情報片に相当する。」（８頁左上欄２行〜右上欄４行、第４図）
　（ウ）画像情報片の検索・再生に関して
　「制御手段１１７は、画像制御情報に基づき、カラオケ伴奏音楽情報に適合させて画像情報片を画像情報再生手段１１８により画像情報記憶媒体１０８内から検索させ、画像情報片を画像表示手段１１６により画像表示させ、かつ、任意の画像情報片の最後の画像を任意の画像情報片に後続する画像情報片が検索され画像表示されるまでの間、静止画像として表示させるように構成される。」（４頁右上欄12行〜20行、第３図）
　「このように、花、山、川（注：記号略）のような大まかな分類や、それらをさらに細分した、ひまわり、富士山のような具体的な分類で分類され、数秒〜１分程度の動画（素材映像）に分けて記録されたレーザビデオディスクを・・・高速サーチが可能なレーザビデオディスクプレーヤを用い、ＭＩＤＩカラオケデータに入っている歌の内容・雰囲気に合った映像コントロール信号を基に、カラオケ曲再生中にサーチし再生する。サーチ中は直前の最後の画面を記憶装置に記憶し静止画再生しながらつなぎ合わせて曲終了まで動画を再生していく。・・・またサーチスピードが早ければ、目の残像効果を利用して、サーチ中の静止画を省略することができる。以上により、・・・少ないレーザビデオディスク枚数であっても、多くの曲に個別に又はランダムに対応した背景動画を、切れ目なく又は切れ目がほとんど気にならずに作り出すことができる。」（８頁右上欄５行〜左下欄８行）
　「このようにすることにより、画像情報片の組み合わせにより多種類の背景画像や大部分を動画とした画像を構成することができ、背景画像の陳腐化が防止できる。」（４頁右下欄４行〜７行）
　（エ）ＭＩＤＩカラオケファイルに関して
　「このＭＩＤＩカラオケファイル・・・は、シーケンスファイルＳＦと早見表ファイルＩＦに大別される。シーケンスファイルＳＦは・・・ノートファイルＮＦと・・・歌詞ファイルＬＦと・・・ＰＣＭファイルＰＦとを有している。」（５頁右下欄19行〜６頁左上欄６行）
　「ノートファイルＮＦは、実際の演奏データが格納されるファイルであり、・・・制御用のトラックＮＦ１６、ＮＦ１７は、照明制御やＬＶＤプレーヤ制御等、各種の制御用コマンドを格納する。」（６頁左上欄７行〜右上欄４行）
　「このレーザビデオコントロールコマンドが画像制御情報に相当する。このレーザビデオコントロールコマンドは、たとえばＦ３ｈ、ＡＡｈ、ＢＢｈ、ＣＣｈ、（注：記号略）のように構成する。ここに、ＡＡｈはディスク番号、ＢＢｈは再生面・・・ＣＣｈはチャプター番号又は画面番号を示している。」（６頁左下欄４行〜左下欄10行）
　（オ）歌詞の表示に関して
　「ボードコンピュータ８は、・・・歌詞ファイルデータＬＦを読みだし、キャラクタ信号に変換してスーパーインポーズ回路２５に送る。スーパーインポーズ回路２５は上記キャラクタ信号をＬＶＤプレーヤ７から送られてくる素材映像をつなぎ合わせた映像信号にスーパーインポーズして歌唱者用ディスプレイ５７に送る。」（９頁左下欄16行〜右下欄４行）
（２）同じく、刊行物２（特開平５−３５２８８号号公報（平成５年２月１２日出願公開））には、「カラオケ再生装置」（発明の名称）に関して、以下の記載が認められる。
　（カ）「本発明では、・・・ＭＩＤＩデータおよび歌詞データを公衆回線を介して伝送可能なデータ構造とし、・・・動画データと分離することとした。そして動画データ群を端末装置に格納してこのうちから音楽に合った動画を抽出するようにした。」（２頁右欄16行〜21行）
　（キ）「端末装置側ではそれぞれ複数の同一の動画を搭載した２台の光ディスク装置を並行して制御する動画抽出装置を備え、各カラオケ音楽の再生に先立って上記コードを動画抽出装置に入力し、２台の光ディスク装置を交互に駆動してコードに見合った動画を抽出することによりディスプレイに対して歌詞と共に動画を合成出力するという手段を用いた。」（２頁右欄28行〜34行）
　「動画抽出装置１０では使用されていない側の光ディスク装置１１ｂを駆動してインデックス情報を検索し、次のカラオケ音楽に対する動画を予め決定しておくのである。このようにすると次から次へと行われるリクエストにおいて、待ち時間を大幅に短縮することができる。」（３頁右欄30行〜35行）
　（ク）「なお、本実施例では光ディスク装置を２台としたが、これは動画の抽出が原因で次のリクエストの再生に遅延を来すことを回避するためであり・・・そのために２台の光ディスク装置に同一の動画を搭載している。２台の光ディスク装置に別々の動画を搭載すれば倍の動画を提供できるが、動画の抽出に要する時間が却って大幅に増加するので、採用しなかった。」（３頁右欄36行〜44行）
　
３．本願発明と刊行物１に記載された発明との対比
（１）刊行物１に記載された発明（以下、刊行物１記載の発明ともいう）
　（ａ）一般に、カラオケは、歌唱者が複数のカラオケ曲の中から所望の曲を選択して歌唱するものであるから、「カラオケ演奏装置１１０」が、歌唱者が複数のカラオケ曲の中から所望の曲を選択する手段（選択手段）を備えることは明らかである。
　（ｂ）上記記載（ア）（エ）（オ）によれば、「画像表示手段１１６」は、画像情報再生手段１１８により再生した画像情報に歌詞情報を合成した画像情報を表示することが認められる。
　また、「制御手段１１７」は、音響（音響出力手段１１５の出力）と画像（画像表示手段１１８の表示）との出力タイミングを制御し、画像制御情報に基づき、カラオケ伴奏音楽情報に適合させて画像情報片を画像情報再生手段１１８により画像情報記憶媒体１０８内から検索させ、検索した画像情報片を画像表示手段１１６により画像表示させることから、「画像表示手段１１６」は、音響出力手段１１５からの出力タイミングに対応して画像情報を表示することが認められる。
　（ｃ）上記記載（ア）（イ）によれば、「画像情報記憶手段１０８」の画像情報は、花、山、川などの同じ分類（大分類）に含まれる２以上の画像情報片（数秒〜１分程度の動画、素材映像）からなり、編集された画像情報片の群として構成されることが認められる。
　（ｄ）上記記載（ア）（ウ）によれば、「制御手段１１７」は、一つのカラオケ曲を再生中、画像情報記憶媒体１０８に記憶されている画像情報片をランダムに選択して順次読み出すよう画像情報再生手段１１８を制御することが認められる。
　また、「またサーチスピードが早ければ、目の残像効果を利用して、サーチ中の静止画を省略することができる。」および「多くの曲に個別に又はランダムに対応した背景動画を、切れ目なく・・・作り出すことができる。」との各記載に照らせば、直前の最後の画面を静止画再生しながらつなぎ合わせて動画を再生していく態様の他に、そのような静止画再生を省略し切れ目なくつなぎ合わせて動画を再生していく態様も開示されている。
　（ｅ）以上、刊行物１には、下記３の構成を備えた「カラオケ演奏装置」が記載されている。
　　　　　記３（刊行物１記載の発明）
　複数のカラオケ曲の中から所望の曲を選択する選択手段と、
　選択されたカラオケ曲のカラオケ情報を再生して出力する音響出力手段１１５と、
　画像情報を記憶した画像情報記憶媒体１０８と、
　画像情報記憶媒体１０８から画像情報を再生する画像情報再生手段１１８と、
　画像情報再生手段１１８により再生した画像情報に歌詞情報を合成し、音響出力手段１１５からの出力タイミングに対応して表示する画像表示手段１１６と、
　画像情報記憶手段１０８の画像情報は、花、山、川などの同じ分類（大分類）に含まれる２以上の画像情報片からなる編集された画像情報片の群として構成され、
　一つのカラオケ曲を音響出力手段１１５が再生中、画像情報再生手段１１８を制御して、画像情報記憶媒体１０８に記憶されている編集された画像情報片の群から画像情報片をランダムに選択して順次読み出す制御手段１１７を備えたカラオケ演奏装置１１０。
（２）対応関係
　刊行物１記載の発明において、「花、山、川などの同じ分類（大分類）」が画像情報片の内容のジャンルを示すことは明らかであるから、刊行物１記載の「花、山、川などの同じ分類（大分類）に含まれる２以上の画像情報片」が、本願発明の「同一ジャンルの映像内容として編集された２以上の編集映像」に相当することは明らかである。
　さらに、刊行物１記載の発明の「音響出力手段１１５」、「画像情報記憶媒体１０８」、「画像情報再生手段１１８」、「画像表示手段１１６」、「制御手段１１７」及び「カラオケ演奏装置１１０」が、それぞれ、本願発明の「楽音情報出力手段」、「映像情報記憶手段」、「映像情報読出手段」、「映像表示手段」、「編集映像読出制御手段」及び「映像カラオケ装置」に相当することも、明らかである。
（３）一致点・相違点
　本願発明と刊行物１記載の発明とは、下記４の点において一致し下記５の点において相違することが認められる。
　　　　　記４（一致点）
　複数のカラオケ曲の中から所望の曲を選択する選択手段と、
　選択されたカラオケ曲の楽音情報を再生して出力する楽音情報出力手段と、
　映像情報を記憶した映像情報記憶手段と、
　該映像情報記憶手段から映像情報を読み出す映像情報読出手段と、
　該映像情報読出手段により読み出した映像情報に歌詞情報を合成し、上記楽音情報出力手段からの出力タイミングに対応して表示する映像表示手段と、
　を備えた映像カラオケ装置であって、
　上記映像情報記憶手段及び映像情報読出手段を備え、映像情報記憶手段の映像情報は、同一ジャンルの映像内容として編集された２以上の編集映像からなる編集映像群として構成されると共に、
　前記選択手段により選択された一つのカラオケ曲を前記楽音情報出力手段が再生中、上記映像情報読出手段を制御して、上記映像情報記憶手段に記憶されている編集映像群から編集映像をランダムに選択して順次読み出す編集映像読出制御手段を備えたことを特徴とする映像カラオケ装置。
　　　　　記５（相違点）
　本願発明は、映像情報記憶手段及び映像情報読出手段を「複数組備える」のに対して、刊行物１記載の発明は、映像情報記憶手段及び映像情報読出手段を備えるものの、「複数組備える」ことについては記載がない点
　
４．相違点の判断
（１）上記相違点について判断する。
　（ａ）本願明細書には、以下の記載が認められる。
　「また、図７に示すように、第１プレーヤ３４ａと第２プレーヤ３４ｂとが交互に映像再生ディスクを再生するようにしたが、必ずしも交互である必要はない。ランダムに再生できればよいので、例えば同じ映像再生ディスクであっても、連続するチャプターであれば続けて再生してもよい。」（段落（0052））
　「また上記実施例では、第１プレーヤ３４ａと第２プレーヤ３４ｂにより２系統の映像供給源からの再生を行ったが、３系統以上の映像供給源および読出手段（プレーヤ等）を持ち、それらからランダムに再生映像を読み出して表示するようにしてもよい。」（段落(0053)）
　「本発明のカラオケ装置によれば、映像情報源に記憶されている映像情報のトータル時間は少なく、従って収納スペース等のコンパクト化を達成しているにもかかわらず、カラオケ利用者に、さも多数種類の背景映像が有るかの如く感じさせて飽きさせない背景映像を供給することができるという効果を奏する。」（段落（0055））
　以上によれば、本願発明の「映像情報記憶手段及び映像情報読出手段を複数組備える」の主たる意義は、アクセスする映像再生ディスク（映像供給源）の数を増加することにあり、これにより、より多数種類の背景映像を供給することが認められる。
　（ｂ）刊行物１には、従来の技術として、ＬＶＤオートチェンジャやＣＤオートチェンジャの技術が記載されている（２頁左下欄12行〜３頁右上欄３行、第17図及び第18図）。かかるオートチェンジャは映像再生を伴う複数枚のディスクを交換することにより曲数を増加するものである。刊行物１には、アクセスするディスクを複数枚とすることにより多数種類の曲（及び背景映像）を提供することが、一般的認識として記載されている。
　また、上記記載（エ）によれば、レーザビデオコントロールコマンドは、ディスク番号を指定するコード（ＡＡｈ）を含んでいる。このデータ構造は、刊行物１記載のカラオケ演奏装置が複数枚のディスクにアクセスすることを排除していないことを示唆している。さらに、「少ないレーザビデオディスク枚数であっても多くの曲に対応した背景画像を作り出すことができる」旨の記載（上記記載（ウ））によれば、ディスクプレーヤの個数はともかく、「少ない枚数」（複数枚）のディスクを使用して「多くの曲に対応した背景画像」（多数種類の背景映像）を作り出すことを示唆している。
　（ｃ）他方、刊行物２には「２台の光ディスク装置に別々の動画を搭載すれば倍の動画を提供できる」との記載が見られる。この記載は、提供する動画の数を増加するためには、別々の動画を搭載した光ディスク装置の台数を増加すればよいこと（すなわち、映像情報記憶手段及び映像情報読出手段を複数組備えること）を開示するものである。
　（ｄ）そうすると、上記相違点に係る「映像情報記憶手段及び映像情報読出手段を複数組備える」ことは、刊行物１記載の発明において、同刊行物の上記示唆に着目し、刊行物２の上記開示を参照することにより、当業者が容易になし得ることである。
（２）仮に、本願発明の「映像情報記憶手段及び映像情報読出手段を複数組備える」の意義が、編集映像の読出しの際の遅延に対処することにあるとしても、刊行物２には、光ディスク装置を２台備えることはそのような遅延に対処するものであることも開示されており、当業者が容易になし得ることであるとの判断を左右するものではない。
（３）なお、請求人は、刊行物２は、２つのカラオケ曲の曲間において再生装置を切り替えるものであり、「一つのカラオケ曲を再生中に、複数の映像情報読出手段を制御して、複数の映像情報記憶手段に記憶されている編集映像をランダムに選択して順次読み出す」旨の技術思想の開示はない趣旨の主張をする（審判請求書４頁（３））。しかし、「一つのカラオケ曲を再生中に、映像情報読出手段を制御して、映像情報記憶手段に記憶されている編集映像をランダムに選択して順次読み出す」という本願発明の基本的思想はすでに刊行物１に記載されているのであり、刊行物２は、刊行物１の上記示唆を実現する態様の一つとして、同刊行物が開示する「複数組備える」構成を参照するために引用したものであるから、刊行物２に「一つのカラオケ曲を再生中に、映像情報読出手段を制御して、映像情報記憶手段に記憶されている編集映像をランダムに選択して順次読み出す」ことの開示がないことは、刊行物１に刊行物２を適用することの妨げとなるものではない。
（４）以上のとおり、上記相違点に係る構成は当業者が容易になし得ることであり、また、本願発明の効果も刊行物１及び刊行物２の記載から予測することができる程度のものにすぎない。
　
５．むすび
　以上、請求項１に係る発明は、刊行物１及び刊行物２に記載された各発明に基づいて当業者が容易に発明をすることができたものであり、特許法第２９条第２項の規定により特許を受けることができない。
　したがって、残る請求項２に係る発明について特に検討するまでもなく、本願は拒絶をすべきものである。
　よって、結論のとおり審決する。